(57)【要約】【課題】可搬型記録媒体を、神社・仏閣等での祈願を目的とした所謂電子お守り札として利用可能にする。【解決手段】神社・仏閣の画像データＰ、祈願内容データＱを記録した可搬型記録媒体１をお守り札の代替として利用可能にする。この可搬型記録媒体１は、携帯電話機用のメモリーカード１ａおよび携帯型電子機器用のモリーカード１ｂの２種類を対にして構成し、また可搬型記録媒体１を収納するための絵馬型のＰＤケース３を備える。また、可搬型記録媒体１、あるいはこの可搬型記録媒体１に記録する画像データＰ、祈願内容データＱを祈祷済みのものとしても良い。【選択図】図１
0003134614.tif 000002
【実用新案登録請求の範囲】
【請求項１】
神社・仏閣の画像データ、祈願内容データを記録した可搬型記録媒体をお守り札の代替として利用可能にしたことを特徴とする記録媒体型お守り。
【請求項２】
神社・仏閣の画像データ、祈願内容データを記録した可搬型記録媒体をお守り札の代替として利用可能にすると共に、可搬型記録媒体あるいは画像データ、祈願内容データは、祈祷済みであることを特徴とする記録媒体型お守り。
【請求項３】
神社・仏閣の画像データ、祈願内容データを記録した可搬型記録媒体をお守り札の代替として利用可能にすると共に、可搬型記録媒体あるいは画像データ、祈願内容データは、祈祷済みであるとし、また可搬型記録媒体は、携帯電話機用のメモリーカードおよび携帯型電子機器用のメモリーカードの２種類を対にして構成されていることを特徴とする記録媒体型お守り。
【請求項４】
神社・仏閣の画像データ、祈願内容データを記録した可搬型記録媒体をお守り札の代替として利用可能にすると共に、可搬型記録媒体あるいは画像データ、祈願内容データは、祈祷済みであるとし、可搬型記録媒体を収納する絵馬型のＰＤケースを備えていることを特徴とする記録媒体型お守り。
【請求項５】
神社・仏閣の画像データ、祈願内容データを記録した可搬型記録媒体をお守り札の代替として利用可能にすると共に、可搬型記録媒体あるいは画像データ、祈願内容データは、祈祷済みであるとし、また可搬型記録媒体は、携帯電話機用のメモリーカードおよび携帯型電子機器用のメモリーカードの２種類を対にして構成されており、可搬型記録媒体を収納する絵馬型のＰＤケースを備えていることを特徴とする記録媒体型お守り。
【考案の詳細な説明】
【技術分野】
【０００１】
本考案は、神社・仏閣等でお守り札の代替として販売提供される記録媒体型お守りに関する。
【背景技術】
【０００２】
従来、特許文献１に開示されているように、可搬型記憶媒体を保持する媒体保持部材と、当該媒体保持部材を携帯型電子機器のストラップ取り付け部に連結するための連結部材とを備えたり、あるいは携帯型電子機器に取り付けて使用されるストラップに、可搬型情報記憶媒体を保持する媒体保持部材を取り付けたりしてなる可搬型記憶媒体携帯装置が提案されている。この携帯型電子機器は、ＰＤＡ、デジタル・スチル・カメラ、デジタル・ビデオ・カメラ、ノート型ＰＣ、携帯型ゲーム機、携帯電話機などであり、前記可搬型記憶媒体は、携帯型電子機器などのストレージ・デバイスとして用いられる記憶媒体であるものとし、さらにストラップには、携帯電話機用ハンドストラップ、首や肩に掛けるタイプの携帯電話機用ストラップ、カメラ用のストラップを含むものとしている。
【０００３】
また、特許文献２に開示されているように、神社・仏閣で祈祷済みの祈祷済お守り画像データを配信することで、配信先の携帯電話を神社・仏閣のお守りと同等のご利益があるお守りとして広く一般のユーザーが利用できるものとした祈祷済みお守り画像配信技術が提案されている。すなわち、この祈祷済お守り画像配信システムは、画像配信サイトを構成するシステムであって、一般会員に配信する配信画像が、神社・仏閣で祈祷済みのお守り画像データであり、該お守り画像データを格納して管理するお守り画像データベースと、お守り画像の配信要求があると、前記お守り画像データベースから所望の祈祷済のお守り画像データを検索して、一般会員の通信端末に配信するお守り画像配信手段とを備えたものである。
【特許文献１】特開２００１−６７４４２号公報
【特許文献２】特開２００３−３０２００号公報
【考案の開示】
【考案が解決しようとする課題】
【０００４】
上記したように、従来の特許文献１においては、携帯型電子機器に可搬型記憶媒体を取り付けるための連結部材や媒体保持部材を提供するものであり、また特許文献２においては、神社・仏閣で祈祷済みのお守り画像データを配信するための画像配信技術を提供するものである。
【０００５】
しかしながら、従来においては、可搬型記録媒体自体を神社・仏閣等で祈願されたお守り札として一般ユーザーに提供し所持携帯させるという技術は未だ存在していないのであった。特に、特許文献１の場合は、携帯型電子機器の携帯機器本体中に、可搬型記憶媒体の記憶内容を即座に見ることができるよう当該機器にストラップ的もしくはアクセサリー的に取り付けられているのであって、神社・仏閣等での祈願を目的としたお守り札としての利用方法ではない。まして、この可搬型記憶媒体は、神社・仏閣等で祈祷を行っていないため、一般的なお守り札としての特徴を何等備えていないのである。
【０００６】
そこで、本考案は叙上のような従来存した諸事情に鑑み案出されたもので、可搬型記録媒体を、神社・仏閣等での祈願を目的とした所謂電子お守り札として利用可能にした記録媒体型お守りを提供することを目的とする。
【課題を解決するための手段】
【０００７】
上述した課題を解決するため、本考案にあっては、神社・仏閣の画像データＰ、祈願内容データＱを記録した可搬型記録媒体１をお守り札の代替として利用可能にしたもので、可搬型記録媒体１あるいは画像データＰ、祈願内容データＱは祈祷済みのものとすることができる。
また、可搬型記録媒体１は、携帯電話機用のメモリーカード１ａおよび携帯型電子機器用のメモリーカード１ｂの２種類を対にして構成されているものとできる。
さらに、可搬型記録媒体１が収納される絵馬型のＰＤケース３を備えたものとすることもできる。
尚、メモリーカード１ａ．１ｂそれぞれは、それ自身で携帯電話機用、携帯型電子機器用のいずれであっても、それらの可搬型記録媒体１として利用でき、機器本体における電子データの格納、読み出し、記録その他のための接続を行うスロット形態に対応するものであれば良いから、機器本体に設けられているスロット形態に対応するメディアであれば、いずれのものでも利用できる。
【０００８】
以上のように構成された本考案に係る記録媒体型お守りにあって、お守り札の代替としての可搬型記録媒体１は、画像データＰや祈願内容データＱを携帯電話機や携帯型電子機器等で記録保存もしくは再生可能にさせる。
可搬型記録媒体あるいは画像データ、祈願内容データは祈祷済みとして、念の入ったものとし、いわゆるご利益の増大を期待させる。
また、携帯電話機用のメモリーカード１ａおよび携帯型電子機器用のメモリーカード１ｂの２種類を対にして構成された可搬型記録媒体１は、携帯電話機や携帯型電子機器等を使用しての神社・仏閣等の画像データＰや祈願内容データＱの記録や再生を、日時、場所その他を選ばずに常時可能にさせる。
さらに、可搬型記録媒体１が収納される絵馬型のＰＤケース３は、お守り札としての付加価値を向上させる。
【考案の効果】
【０００９】
本考案によれば、可搬型記録媒体１を、神社・仏閣等での祈願を目的とした所謂電子お守り札として一般ユーザーに提供することができる。
【００１０】
すなわち、これは本考案が、神社・仏閣の画像データＰ、祈願内容データＱを記録した可搬型記録媒体１をお守り札の代替として利用可能にしたからであり、これにより、可搬型記録媒体１は、封印された記録内容として神社・仏閣の画像データＰ、祈願内容データＱを保存可能としていることから、念の入った通常のお守り札として使用できる。また、携帯電話機や携帯型電子機器等で見れることで、自分が求める祈願内容や神社・仏閣等の所在や名称を容易に確認もできる。
【００１１】
しかも、可搬型記録媒体１あるいはこの可搬型記録媒体１に記録した画像データＰや祈願内容データＱを祈祷済みのものとすることで、念の入ったものとし、いわゆるご利益も大きなものとして期待でき、それを一般ユーザーに一層アピールさせることができる。
【００１２】
また、可搬型記録媒体１は、携帯電話機用のメモリーカード１ａおよび携帯型電子機器用のメモリーカード１ｂの２種類を対にして構成されているので、神社・仏閣側では携帯電話機や携帯型電子機器等それぞれに対応したメディアであるメモリーカード１ａ，１ｂに各別に神社・仏閣等の画像データＰや祈願内容データＱの記録が可能となり、一般ユーザーに便なるように図ることができる。しかも、一般ユーザー側では、携帯電話機や携帯型電子機器等を使用し、異なるメディアそれぞれを利用して神社・仏閣等の画像データＰや祈願内容データＱの再生が可能となる。
【００１３】
さらに、可搬型記録媒体１が収納される絵馬型のＰＤケース３を備えたので、お守り札としての意匠等の付加価値を向上させることができる。
【００１４】
尚、上記の課題を解決するための手段、考案の効果の項夫々において付記した符号は、図面中に記載した構成各部を示す部分との参照を容易にするために付したもので、図面中の符号によって示された構造・形状に本考案が限定されるものではない。
【考案を実施するための最良の形態】
【００１５】
以下、図面を参照して本考案を実施するための最良の一形態を説明する。図において示される符号１は、お守り札の代替として利用可能とした可搬型記録媒体であり、該可搬型記録媒体１としては、図１に示すように、例えば携帯電話機用のメモリーカード１ａと、例えばＰＤＡ、デジタルスチルカメラ、デジタルビデオカメラ、ノート型ＰＣ、携帯型ゲーム機等の携帯型電子機器のストレージ・デバイスとして用いられる種々のメモリーカード１ｂとの２種類を対として使用している。
【００１６】
この携帯型電子機器用のメモリーカード１ｂとしては、例えばＵＳＢメモリーカード、マルチメディアカード（Multi Media Card）・ＳＤ（Secure Digital）メモリーカード（登録商標）等のＳＤ／ＭＭＣ、メモリースティック（登録商標）、コンパクトフラッシュ（登録商標）メモリーカード・スモールＰＣカード等のＰＣカード／ＣＦ／ＭＤ、スマートメディア（登録商標）・ｘＤピクチャーカード（登録商標）等のＳＭ／ｘＤ、ミニチュアカード（Miniature Card）等のうちのいずれかを使用しており、また、これらに限定されるものではない。
【００１７】
あるいは、電子回路（ＩＣ）・コンデンサー・電磁コイル等を生態適合ガラスで完全シールしてなる電子標識器具としてのマイクロチップ等を利用することも可能である。
【００１８】
この可搬型記録媒体１には、神社・仏閣側にて携帯電話機や携帯型電子機器（図示せず）等を使用し、所定の神社・仏閣等の画像データＰと共に「開運」・「交通安全」・「合格」・「安産」等に関する祈願内容データＱが入力記録され、これら記録データＰ，Ｑが消去または書き換えされずに永久保存されるようにプロテクターで保護されている。また、これら画像データＰ・祈願内容データＱと共に、神社・仏閣等で祈願される例えば念じ言葉等の音響データ等を入力記録しても良い。
【００１９】
そして、この可搬型記録媒体１は、神社・仏閣側にて、護摩を焚き、祈祷を行った後に、例えば五角形の絵馬型箱体等によって形成され、開放端部同士を縛結する紐３ａ等を有してなるプラスチック製等のＰＤケース３の中に収納してから、これをお守り札の代替として一般ユーザーに提供するものである。尚、可搬型記録媒体１に記録される画像データＰ・祈願内容データＱ自体が祈祷されるものであっても良い。
【００２０】
このＰＤケース３の表面には、例えば「開運祈願」・「交通安全祈願」・「合格祈願」・「安産祈願」・「お守り札」・「何某神社」・「何某仏閣」あるいは干支等のシール２が貼られているものとしても良い。また、可搬型記録媒体１の表面には、必要に応じて例えば「開運祈願」・「交通安全祈願」・「合格祈願」・「安産祈願」・「お守り札」・「何某神社」・「何某仏閣」あるいは干支等のシール２が貼られていても良い。
【００２１】
尚、絵馬型のＰＤケース３を使用する替わりに、通常の綿布等によって形成されたお守り袋を使用しても良い。また、絵馬型のＰＤケース３を使用しないで、「開運祈願」・「交通安全祈願」・「合格祈願」・「安産祈願」・「お守り札」・「何某神社」・「何某仏閣」あるいは干支等の文字を記載したお守り用の和紙（図示せず）に可搬型記録媒体１を包んでから一般ユーザーに提供することでも良い。
【００２２】
次に、以上のように構成された最良の形態についての使用の一例について説明する。先ず、神社・仏閣側にて携帯電話機や携帯型電子機器等を使用して、両メモリーカード１ａ，１ｂの２種類を対とした可搬型記録媒体１それぞれに、所定の神社・仏閣等の画像データＰと共に「開運」・「交通安全」・「合格」・「安産」等に関する祈願内容データＱを入力記録する。このとき、これら記録データＰ，Ｑが消去もしくは書き換えされずに永久保存されるようプロテクターで保護しておく。
【００２３】
そして、可搬型記録媒体１の表面に、「開運祈願」・「交通安全祈願」・「合格祈願」・「安産祈願」・「お守り札」・「何某神社」「何某仏閣」あるいは干支等のシール２を貼るか、あるいはこれらを記載したお守り用の和紙で包んでから、神社・仏閣側にて、護摩を焚き、祈祷を行った後に、ＰＤケース３の中に収納して紐３ａで縛結してからこれをお守り札の代替として一般ユーザーに提供するのである。
【００２４】
また、一般ユーザーは、上記した可搬型記録媒体１を、封印された祈祷済みの記録内容として保存されていることから、通常のお守り札として携帯使用する。そして、必要とあれば、祈祷済みの画像データＰや祈願内容データＱを携帯電話機や携帯型電子機器等で見ることで、自分が求める祈願内容と同時に神社・仏閣の所在・名称等を容易に確認することができる。
【図面の簡単な説明】
【００２５】
【図１】本考案を実施するための最良の形態を示す概略図である。
【符号の説明】
【００２６】
Ｐ…画像データ                          Ｑ…祈願内容データ
１…可搬型記録媒体                      １ａ，１ｂ…メモリーカード
２…シール                              ３…ＰＤケース
３ａ…紐
【図１】
0003134614.tif 000003
【手続補正書】
【提出日】平成19年6月21日(2007.6.21)
【手続補正１】
【補正対象書類名】実用新案登録請求の範囲
【補正対象項目名】全文
【補正方法】変更
【補正の内容】
【実用新案登録請求の範囲】
【請求項１】
神社・仏閣の画像データ、祈願内容データを記録した可搬型記録媒体から成ることを特徴とする記録媒体型お守り。
【請求項２】
神社・仏閣の画像データ、祈願内容データを記録した可搬型記録媒体から成り、可搬型記録媒体あるいは画像データ、祈願内容データは、祈祷済みであることを特徴とする記録媒体型お守り。
【請求項３】
神社・仏閣の画像データ、祈願内容データを記録した可搬型記録媒体から成ると共に、可搬型記録媒体あるいは画像データ、祈願内容データは、祈祷済みであるとし、また可搬型記録媒体は、携帯電話機用のメモリーカードおよび携帯型電子機器用のメモリーカードの２種類を対にして構成されていることを特徴とする記録媒体型お守り。
【請求項４】
神社・仏閣の画像データ、祈願内容データを記録した可搬型記録媒体から成ると共に、可搬型記録媒体あるいは画像データ、祈願内容データは、祈祷済みであるとし、可搬型記録媒体を収納する絵馬型のＰＤケースを備えていることを特徴とする記録媒体型お守り。
【請求項５】
神社・仏閣の画像データ、祈願内容データを記録した可搬型記録媒体から成ると共に、可搬型記録媒体あるいは画像データ、祈願内容データは、祈祷済みであるとし、また可搬型記録媒体は、携帯電話機用のメモリーカードおよび携帯型電子機器用のメモリーカードの２種類を対にして構成されており、可搬型記録媒体を収納する絵馬型のＰＤケースを備えていることを特徴とする記録媒体型お守り。